(57)【要約】      （修正有）【課題】広い開口部を確保して遺体の収容を容易に行うことができるようにした遺体収容袋を提供する。【解決手段】遺体を載置する長方形状の下部シート３を設け、該下部シート３の下面に短手方向に延び両端部に把手５ａを有するベルト５を長手方向に間隔をおいて複数個接合し、前後部に前部マチ４ｂと後部マチ４ｃとが接合され周縁部が下部シート３の周縁部に接合されて下部シート３に載置される遺体を覆う上部シート４を設け、該上部シート４に長手方向に延びるコ字状のスライドファスナーからなる開閉部６を設ける。遺体を直に収容する内袋を備えることができる。【選択図】図２
0003196389.tif 000002
【実用新案登録請求の範囲】
【請求項１】
遺体を載置する長方形状の下部シートを設け、該下部シートの下面に短手方向に延び両端部に把手を有するベルトを長手方向に間隔をおいて複数個接合し、前後部に前部マチと後部マチとが接合され周縁部が前記下部シートの周縁部に接合されて前記下部シートに載置される遺体を覆う上部シートを設け、該上部シートに長手方向に延びるコ字状のスライドファスナーからなる開閉部を設けてなることを特徴とする遺体収容袋。
【請求項２】
長手方向に延びるスライドファスナーの中央部の下面に小面積の補助シートを重ねて接合してなる請求項１に記載の遺体収容袋。
【請求項３】
遺体を直に収容する内袋を備えてなる請求項１又は２に記載の遺体収容袋。
【請求項４】
内袋内に吸水マットを収容してなる請求項３に記載の遺体収容袋。
【請求項５】
吸水マットには消臭剤を添加してなる請求項４に記載の遺体収容袋。
【考案の詳細な説明】
【技術分野】
【０００１】
本考案は、遺体を収容して搬送するための遺体収容袋に関する。
【背景技術】
【０００２】
高いシール性能を備え、新型インフルエンザ等の伝染病にも対応可能な遺体収納袋として、特許文献１には、共に矩形状の上部シート体と下部シート体を重ね合わせて、その前後左右の四方を全周に亘って溶着することにより形成され、その上面側の上部シート体に遺体を収納するためのスリット状の開口部が長手方向に延びるように設けられる細長形状の袋体と、袋体に対して開口部を閉鎖するように溶着されるファスナーとを備えたものが開示されている。そして、ファスナー部を特殊な構造とすることにより、高いシール性能を備えるようにしたものである。
【０００３】
しかし、スリットが長手方向に直線状に設けられているため、スリットを開いても開口部が狭く、多人数で開口部をできるだけ広く開け、遺体を収納しなければならない。
災害時など、多数の死者を収容する必要がある場合、現場では少人数でも遺体の収容作業を行う必要があり、できるだけ広い開口部を確保できるようにすることが望ましい。
【先行技術文献】
【特許文献】
【０００４】
【特許文献１】特開２０１１−８７８０４号公報
【考案の概要】
【考案が解決しようとする課題】
【０００５】
そこで、本考案は、広い開口部を確保して遺体の収容を容易に行うことができるようにした遺体収容袋を提供することを目的とする。
【課題を解決するための手段】
【０００６】
上記の課題を解決するために、本考案に係る遺体収容袋は、遺体を載置する長方形状の下部シートを設け、該下部シートの下面に短手方向に延び両端部に把手を有するベルトを長手方向に間隔をおいて複数個接合し、前後部に前部マチと後部マチとが接合され周縁部が前記下部シートの周縁部に接合されて前記下部シートに載置される遺体を覆う上部シートを設け、該上部シートに長手方向に延びるコ字状のスライドファスナーからなる開閉部を設けてなること、を特徴としている。
ここで、長手方向に延びるスライドファスナーの中央部の下面に小面積の補助シートを重ねて接合してなるものとすることができる。
また、遺体を直に収容する内袋を備えてなるものとすることができる。
また、内袋内に吸水マットを収容してなるものとすることができる。
また、吸水マットには消臭剤を添加することができる。
【考案の効果】
【０００７】
本考案に係る遺体収容袋は、遺体を載置する長方形状の下部シートを設け、該下部シートの下面に短手方向に延び両端部に把手を有するベルトを長手方向に間隔をおいて複数個接合し、前後部に前部マチと後部マチとが接合され周縁部が前記下部シートの周縁部に接合されて前記下部シートに載置される遺体を覆う上部シートを設け、該上部シートに長手方向に延びるコ字状のスライドファスナーからなる開閉部を設けてなるので、前部マチと後部マチとにより、遺体収容袋内に立体的空間を確保することができる。また、コ字状のスライドファスナーからなる開閉部を開くことにより、大きな開口部を確保できるので、少人数でも遺体の遺体収容袋内への収容作業が容易となる。
長手方向に延びるスライドファスナーの中央部の下面に小面積の補助シートを重ねて接合してなるものとすれば、ファスナーを閉めた際に僅かな隙間が生じても、補助シートにより隙間が塞がれた状態となり、気密性が高まる。
遺体を直に収容する内袋を備えてなるものとすれば、内袋と遺体収容袋とで二重に包むことになるので、密閉度がより高まる。
内袋内に吸水マットが収容されているものとすれば、該吸水マットにより血液などの体液が吸収されるので、取り扱いが容易となる。
吸水マットに消臭剤を添加しておけば、遺体から発生する異臭が軽減され、取り扱いが容易となる。
【図面の簡単な説明】
【０００８】
【図１】本考案の実施例による遺体収容袋の斜視図である。
【図２】開閉部を開いた状態の斜視図である。
【図３】内袋内に遺体を収容した状態の斜視図である。
【図４】遺体を収容した内袋を遺体収容袋内に載置した状態の斜視図である。
【図５】本考案の実施例による遺体収容袋の平面図である。
【図６】図５のＶＩ−ＶＩ拡大断面図である。
【図７】図５のＶＩＩ−ＶＩＩ拡大断面図である。
【考案を実施するための形態】
【０００９】
以下、本考案の実施例を図面に基づいて具体的に説明する。本考案の実施例による遺体収容袋１は、遺体２を載置する細長い長方形状の下部シート３と、該下部シート３に接合されて下部シート３に載置された遺体２を覆う上部シート４と、下部シート３の下面に接合されるベルト５を主要な部材としている。
【００１０】
下部シート３は、織布にポリエチレンシートを積層した非通気性かつ耐引き裂き性の高いシート材により形成してある。
【００１１】
上部シート４は、上面の大部分を覆う上部シート本体４ａと、該上部シート本体４ａの前部と後部とにかまぼこ形の前部マチ４ｂと後部マチ４ｃとを接合したもので、その周縁部が下部シート３の周縁部に接合（縫着）されてなる。前部マチ４ｂと後部マチ４ｃとにより、内部に空間を確保し易いようになっている。このため、短手方向の幅を小さくしても内部に遺体２を収容するに十分な空間を確保できる。短手方向の幅を小さくできるため、把手５ａを持って搬送する際に、遺体２が下方に大きく沈み込まないので、運搬作業が楽に行える。
上部シート４も下部シート３と同様、織布にポリエチレンシートを積層した非通気性のシート材により形成してある。
【００１２】
上部シート４には、長手方向に延びるコ字状のスライドファスナーからなる開閉部６を設けてある。これにより、スライドファスナーのスライダー６ａを全開すると、図２に示すように、開口部７を大きくとることができ、遺体２の搬入作業が容易となる。
【００１３】
上部シート４の中央部には透明なポリエチレンシートからなるポケット８を設けてある。このポケット８に遺体２に関する情報等を記載した書類等が収容できるようになっている。
上部シート４の開閉部にスライドファスナー６を接合する際、長手方向の中央部に小面積で矩形状の補助シート９を重ねて接合（縫着）し、スライドファスナー６の下面に補助シート９を設けている（図６）。
【００１４】
下部シート３の下面に短手方向に延びて接合されるベルト５は、長手方向に所定の間隔をおいて複数本（図では３本）設けてある。各ベルト５の両端部は折り返して重なり部を下部シート３と重ね合わせて接合（縫着）してあり、これにより、ベルト５の両端部に輪を形成し、該輪に手を掛けて把手５ａとする。把手５ａは下部シート３の側部から突出するように形成してある。下部シート３は、複数本のベルト５によって支持されることになるため、収容した遺体２の搬送作業も安定して行うことができる。
【００１５】
内袋１０は、三角筒状で前端部及び後端部に三角形状の前部マチ１０ａと後部マチ１０ｂを設けたもので、頂部の稜線に沿ってチャック１１を設けてある。なお、チャック１１の長さＬ１が底部の長さＬ２より長くなるように内袋１０を形成してある。これにより、チャック１１を開けた際の開口部を広くとることができるようにして、遺体２を収容し易くしてある。内袋１０は透明なポリエチレンシートにより形成してある。
【００１６】
内袋１０内には、吸水マット１２を収容してある。吸水マット１２は、上面が不織布などの透水性シートにより、下面は不透水性のポリエチレンシートなどにより、吸水性ポリマーが分散された吸水マット本体１２ａを収容したものである。これにより、血液等の体液が吸収されて取り扱いが容易となる。
吸水性ポリマーに加えて消臭剤を添加することができる。これにより、遺体から発生する異臭が軽減されて、取り扱いが容易となる。
【００１７】
本実施例による遺体収容袋１に遺体２を収容するには、先ず、内袋１０に遺体２を収容する。例えば、うつ伏せ状態の遺体２にチャック１１を開いた内袋１０を被せ、回転させることにより、内袋１０内に遺体２を収容する。次いで、内袋１０内の空気をできるだけ抜いてチャック１１を閉じる。
遺体収容袋１のスライドファスナー６を全開しておく（図２）。この状態で、内袋１０内に収容された遺体２を遺体収容袋１に収容し（図４）、スライドファスナー６を閉じる（図１）。
【００１８】
このとき、遺体収容袋１には、前部と後部に前部マチ４ｂ及び後部マチ４ｃが設けられており、遺体収容袋１内の空間が確保されるので、無理なく遺体２を収容することができる。
上部シート４の開閉部６は長手方向に延びるコ字状のスライドファスナー６により形成してあるので、スライダー６ａを全開することにより広い開口部７を確保することができ、遺体２の収容作業が少人数でも容易に行うことができる。
スライドファスナー６を閉めた際にスライダー６ａ，６ａ端部間に僅かな隙間が生じても、補助シート９により隙間が塞がれた状態となり（図６）、気密性が高まる。
遺体２を直に収容する内袋１０を備えておけば、内袋１０と遺体収容袋１とで二重に包むことになり、密閉度が高まる。
【００１９】
遺体２の収容された遺体収容袋１を搬送するには、把手５ａを手で持って搬送する。又は、左側部と右側部とに長手方向に間隔をおいて設けた複数（３個）の把手５ａの輪に図示しない支持棒をそれぞれ通し、該支持棒を手で持って搬送するようにしてもよい。
遺体収容袋１を形成する上部シート４、下部シート３、ベルト５、内袋１０等をポリエチレン製とすれば、焼却した際に有毒なガスを発生しないので、安全に焼却処分することができる。
【符号の説明】
【００２０】
１  遺体収容袋
２  遺体
３  下部シート
４  上部シート
４ａ  上部シート本体
４ｂ  前部マチ
４ｃ  後部マチ
５  ベルト
５ａ  把手
６  スライドファスナー（開閉部）
６ａ  スライダー
７  開口部
８  ポケット
９  補助シート
１０  内袋
１０ａ  前部マチ
１０ｂ  後部マチ
１１  チャック
１２  吸水マット
１２ａ  吸水マット本体
Ｌ１  チャックの長さ
Ｌ２  底部の長さ
【図１】
0003196389.tif 000003
【図２】
0003196389.tif 000004
【図３】
0003196389.tif 000005
【図４】
0003196389.tif 000006
【図５】
0003196389.tif 000007
【図６】
0003196389.tif 000008
【図７】
0003196389.tif 000009